(57)【要約】【課題】壁掛け用部材を筐体側に簡単な係合構造により取着ることで壁掛け用部材の取付け壁面への取付けを簡略化して、取付け用部品をできる限り少なくし、取付け作業性を向上した。【解決手段】電子機器の筐体１の背面壁１ａに、一対の略Ｌ字状のフック片５ａ，５ｂを、それぞれ先端側を同一方向に折曲した状態で互いに離間形成し、背面壁１ａに、壁掛け用部材２を添設して、壁掛け用部材２の互いに対向する両側辺端部に、それぞれ一方のフック片５ａが係合する略コ字状に形成された一方の係合凹部６ａを設け、他方のフック片５ｂに係合する略ロ字状の他方の係合凹部６ｂを設けて、フック片５ａを係合凹部６ａの開口側から挿入した状態で、壁掛け用部材２をフック片５ｂ側にスライドさせて、フック片５ｂに係合凹部６ｂを挿入することによって、壁掛け用部材２を筐体１の背面壁１ａに装着した。【選択図】  図１
2004214223.tif 000002
【特許請求の範囲】
【請求項１】
電子機器を収容する筐体の背面壁に、少なくとも一対の略Ｌ字状のフック片を、それぞれ先端側を同一方向に折曲した状態で互いに離間形成し、
また、前記筐体の背面壁に、前記筐体を取付け壁面に取付けるための壁掛け用部材を添設して、前記壁掛け用部材の互いに対向する両側辺端部に、それぞれ前記一対のフック片のうち一方のフック片が係合する略コ字状に形成された一方の係合凹部を設けると共に、他方のフック片に係合する略ロ字状に形成された他方の係合凹部を設けて、
前記一方のフック片を前記一方の係合凹部の開口側から挿入した状態で、前記壁掛け用部材を前記筐体における他方のフック片側にスライドさせて、前記他方のフック片に前記他方の係合凹部を係合することによって、両フック片を前記両係合凹部にそれぞれ係合し、前記壁掛け用部材を前記筐体の背面壁に装着したことを特徴とする筐体の壁掛け構造。
【請求項２】
前記壁掛け用部材の前記両側辺端部に挟まれた一側辺端部に前記筐体側に折曲するように略Ｌ字状の掛合片を形成すると共に、
前記筐体の接続端子設置部をカバーする接続端子カバーにコ字状の切欠き部を形成しており、
前記切欠き部と前記筐体の背面壁とで形成される掛合孔に前記掛合片を挿入し前記係合片を前記掛合孔の内壁に当接させることによって、前記掛合片を前記接続端子カバーに掛合させて、前記接続端子カバーを前記筐体から取外さない以上前記壁掛け用部材が前記筐体に抜け止めされるよう構成されたことを特徴とする請求項１記載の筐体の壁掛け構造。
【請求項３】
前記接続端子カバーは、その一端側に引っ掛け片を突設すると共に、他端側にビス孔を形成して、前記引っ掛け片を前記筐体の接続端子設置部の壁部に設けた掛合挿入孔に挿入した後、前記ビス孔を前記接続端子設置部の壁部に対向する位置における前記筐体に設けたタップ部に突き合わせて互いに摘みねじを螺合することによって、前記接続端子カバーを前記筐体に取付けたことを特徴とする請求項２記載の筐体の壁掛け構造。
【発明の詳細な説明】
【０００１】
【発明の属する技術分野】
本発明は、例えば無線ＬＡＮ用機器のような電子機器を収容する筐体の壁掛け構造に関する。
【０００２】
【従来の技術】
従来、この種の筐体の壁掛け構造は、図５乃至図７に示すように、電子機器を収容した筐体３１の背面壁３１ａに壁掛け用部材３２を添設し、壁掛け用部材３２に設けた一対のだるま型の壁掛け孔３５に筐体３１の背面壁３１ａを挿通設置したフック片３３を引っ掛けることによって、筐体３１を取付け壁面に懸架するように構成されている。
【０００３】
壁掛け用部材３２は、３つのだるま型の壁掛け孔４０を取付け壁面側に螺着したビス３７に引っ掛けると共に、ビス３８を壁面取付け孔３９を挿通した後取付け壁面に螺着して固定設置されている。
【０００４】
そして、筐体３１に壁掛け用部材３２を添設するには、壁掛け用部材３２の下端部両端に一体に筐体３１側に突出するように取付け片３６ａをそれぞれ形成し、取付け片３６ａの下面から挿通させた摘みねじ３６を筐体３１の下面壁３１ｂ側のねじ孔３４に螺合することによって行っていた。
【０００５】
【発明が解決しようとする課題】
しかしながら、上記のように構成する従来構造であっては、筐体３１に壁掛け用部材３２を取付けるために、摘みねじ３６を用いる他に、筐体３１の接続端子設置部をカバーする接続端子カバー４１を筐体３１に取付けるための摘みねじ４２を別個に必要としており、また、壁掛け用部材３２は、筐体３１への取付けが筐体３１の下端部における摘みねじ３６のみによって行われていたために、壁掛け用部材３２側において、ビス３７或いはビス３８を複数本用いることによって、取付け用壁面に設置する必要があり、このために、取付け部品点数が多く、取付け作業を面倒にしていた。
【０００６】
そこで、本発明はかかる点に鑑み案出されたもので、壁掛け用部材を筐体側に簡単な係合構造により取着することによって壁掛け用部材の取付け壁面への取付け構造を簡略化して、取付け用部品をできる限り少なくし、取付け作業性を向上させるべく意図した筐体の壁掛け構造を提供することを目的としている。
【０００７】
【課題を解決するための手段】
本発明は上記目的を達成するために、電子機器を収容する筐体の背面壁に、少なくとも一対の略Ｌ字状のフック片を、それぞれ先端側を同一方向に折曲した状態で互いに離間形成し、また、筐体の背面壁に、筐体を取付け壁面に取付けるための壁掛け用部材を添設して、壁掛け用部材の互いに対向する両側辺端部に、それぞれ一対のフック片のうち一方のフック片が係合する略コ字状に形成された一方の係合凹部を設けると共に、他方のフック片に係合する略ロ字状に形成された他方の係合凹部を設けて、一方のフック片を一方の係合凹部の開口側から挿入した状態で、壁掛け用部材を筐体における他方のフック片側にスライドさせて、他方のフック片に他方の係合凹部を係合することによって、両フック片を両係合凹部にそれぞれ係合し、壁掛け用部材を筐体の背面壁に装着したことを特徴とする。
【０００８】
かかる構成によって、本発明は、壁掛け用部材側の両フック片が筐体の背面壁側の両係合凹部に係合することによって、壁掛け用部材を筐体に堅固に装着することができるので、壁掛け用部材側に取付け壁面側に突設した取付けボルトを引っ掛けるためのだるま型壁掛け孔を形成するぐらいで筐体に装着することができ、従来のような複数本のねじによる装着に比して、部品点数の減少と共に取付け作業性を向上させている。
【０００９】
また、本発明は、壁掛け用部材の両側辺端部に挟まれた一側辺端部に筐体側に折曲するように略Ｌ字状の掛合片を形成すると共に、筐体の接続端子設置部をカバーする接続端子カバーにコ字状の切欠き部を形成しており、切欠き部と筐体の背面壁とで形成される掛合孔に掛合片を挿入し係合片を掛合孔の内壁に当接させることによって、掛合片を接続端子カバーに掛合させて、接続端子カバーを筐体から取外さない以上壁掛け用部材が筐体に抜け止めされるよう構成されたことを特徴とする。
【００１０】
かかる構成によって、本発明は、接続端子カバー側の切欠き部と筐体の背面壁とで形成した掛合孔に壁掛け用部材側の掛合片を挿入し、掛合片を掛合孔の内壁に当接させることによって掛合片を接続端子カバー側に掛合させたので、ねじ等を使用せずに接続端子カバーを筐体から取外さない以上壁掛け用部材が筐体に対して抜け止めされる構成を採ることができる。
【００１１】
また、本発明は、接続端子カバーは、その一端側に引っ掛け片を突設すると共に、他端側にビス孔を形成して、引っ掛け片を筐体の接続端子設置部の壁部に設けた掛合挿入孔に挿入した後、ビス孔を接続端子設置部の壁部に対向する位置における筐体側に設けたタップ部に突き合わせて互いに摘みねじを螺合することによって、接続端子カバーを筐体に取付けたことを特徴とする。
【００１２】
かかる構成によって、本発明は、１本の摘みねじのみによって、接続端子カバーを介して、壁掛け用部材が筐体の背面壁側に装着されることになり、摘みねじを外して接続端子カバーを筐体から取外さない以上、壁掛け用部材を筐体から取外すことができないことになり、筐体は取付け壁側に設けた１本の取付けボルトにより確実に取付け壁に懸架されることになる。
【００１３】
【発明の実施の形態】
以下、本発明における実施の形態について、図１乃至図４を用いて説明する。
【００１４】
図１は、本発明における実施の形態を採用した電子機器を収容する筐体の分解斜視図、図２は同じく組立てた状態について筐体の裏面壁側を斜め上面側から描画した斜視図、図３は同じく裏面壁側を接続端子カバーを設置した斜め側面側から描画した斜視図、図４は筐体背面壁に添設した壁掛け用部材と接続端子カバーの掛合関係を拡大して描画した部分斜視図で、（ａ）が壁掛け用部材の筐体への装着準備段階、(ｂ)が同じく装着後の状態をそれぞれ示している。
【００１５】
図おいて、電子機器を収容した筐体１の背面壁１ａに壁掛け用部材２を添設し、壁掛け用部材２の略中央上部に設けた一つのだるま型の壁掛け孔１３に図示しない取付け壁面に立設した取付けボルトに引っ掛けることによって、筐体１を取付け壁面に懸架するように構成されている。
【００１６】
筐体１の背面壁１ａには、その上下位置に互いに離間した状態で、それぞれ略Ｌ字状に折曲形成されたフック片５ａ，５ｂが設置されていて一方のフック片５ａは、背面壁１ａの上部側に２つ離れた状態で配置され、他方のフック片５ｂは、一方のフック片５ａ，５ａの中間部における背面壁１ａの下部側に配置され、両フック片５ａ，５ｂはそれぞれ先端側を同一方向すなわち下方向に折曲された鉤状に形成されている。
【００１７】
また、壁掛け用部材２は、その基部２ａの互いに対向する上下両側片端部が一旦折曲された後基部２ａに沿った平面を有するように略Ｌ字状に形成された取付けフランジ部２ｂ，２ｃを有して構成しており、一方の取付けフランジ部２ｂには、一方のフック片５ａ，５ａが係合する略コ字状に形成された一方の係合凹部６ａ，６ａを設けると共に、他方のフック片５ｂに係合する略ロ字状に形成された他方の係合凹部６ｂを設けている。
【００１８】
更に、壁掛け用部材２の両側辺端部に挟まれた一側辺端部には、筐体１側に折曲するように略Ｌ字状の掛合片７を形成すると共に、筐体１の左右側面壁の一方(実施の形態では右側面壁部)１ｂを凹段状に形成して、接続端子設置部１ｃを形成し、接続端子設置部１ｃは接続端子カバー３によってカバーされている。
【００１９】
接続端子カバー３は、長手方向に略Ｌ字状に折曲されて構成しており、筐体１の右側面部１ｂを段状に形成したことにより、右側壁面部１ｂの一部を形成していることになる。
【００２０】
そして、接続端子カバー３の背面壁側は、コ字状の切欠き部３ａが形成されて、筐体１の背面壁１ａとの間で掛合孔８を形成している。
【００２１】
掛合孔８には、壁掛け用部材２の掛合片７が嵌合し、掛合片７の下端側の一側辺部７ａが掛合孔８の下端側の内壁８ｂに当接し接続端子カバー３に掛合させることによって、接続端子カバー３を筐体２から取外さない以上、壁掛け用部材２が筐体１に抜け止めされるよう構成されている。
【００２２】
更に、接続端子カバー３は、その一端側すなわち上端側に引っ掛け片３ｂを突設すると共に、他端側すなわち筐体１の下面壁１ｄに沿って折曲形成された下端側にビス孔１１が形成され、引っ掛け片３ｂを筐体１の接続端子設置部１ｃの互いに対向する壁部のうち一方側壁部１ｅに設けた掛合挿入孔１ｇに挿入した後、ビス孔１１を接続端子設置部１ｃの一方側壁部１ｅに対向する筐体１の下面壁１ｄ側に設けたタップ部９に突き合わせて互いに摘みねじ４を螺合することによって、接続端子カバー３を筐体１に取付けている。
【００２３】
上記のように構成する本発明に係る実施の形態において、一方のフック片５ａ，５ａを一方の係合凹部２ｂ，２ｂの開口側から挿入した状態で、壁掛け用部材２を筐体１における他方のフック片５ｂ側にスライドさせて、他方のフック片５ｂに他方の係合凹部６ｂを挿入することによって、両フック片５ａ、５ｂを両係合凹部６ａ，６ｂにそれぞれ係合し、壁掛け用部材２を筐体１の背面壁１ａに装着している。
【００２４】
このような過程において、図４に示すように、掛合片７を、掛合孔８の上部側に位置している状態から(図４(１))、下方にスライドさせ、掛合孔８の下部側に移動して(図４(２))、掛合片７の一側辺部７ａを掛合孔８の内壁８ｂに当接させて、接続端子カバー３を後述の摘みねじ４を取付ければ、筐体１に対して壁掛け用部材２がガタなく、しか接続端子カバー３を筐体２から取外さない以上、壁掛け用部材２が筐体１に抜け止めされるようなる。
【００２５】
しかして、壁掛け用部材２は、取付けフランジ部２ｂ、２ｃの存在により、基部２ａが筐体１の背面壁１ａより適宜離間した状態で背面壁１ａに添設されることになって、壁掛け孔１３を取付け壁面に立設した取付けボルトに引っ掛けることによって、筐体１を取付け壁面に懸架することになる。
【００２６】
上記実施の形態によれば、壁掛け用部材２側の両フック片５ａ，５ｂが筐体１の背面壁１ａ側の両係合凹部２ｂ，２ｃに係合することによって、壁掛け用部材２を筐体１に堅固に装着することができるので、壁掛け用部材２側に取付け壁面側に突設した取付けボルトを引っ掛けるためのだるま型壁掛け孔１３を形成するぐらいで筐体１に装着することができ、従来のような複数本のねじによる装着に比して、部品点数の減少と共に取付け作業性を向上させている。
【００２７】
また、接続端子カバー３側の切欠き部３ａと筐体１の背面壁１ａとで形成した掛合孔８に壁掛け用部材２側の掛合片７を挿入し、掛合片７の一側辺部７ａを掛合孔８の内壁８ｂに当接させて掛合したので、ねじ等を使用せずに接続端子カバー３を筐体１から取外さない以上壁掛け用部材２が筐体１に対して抜け止めされる構成を採ることができる。
【００２８】
また、接続端子カバー３は、引っ掛け片３ｂを筐体１の接続端子設置部１ｃの壁部１ｅに設けた掛合挿入孔１ｇに挿入した後、ビス孔１１を筐体１の下面壁１ｄ側に設けたタップ部９に突き合わせて互いに摘みねじ４を螺合することによって、接続端子カバー３を筐体１に取付けている。
【００２９】
かかる構成によって、１本の摘みねじのみによって、接続端子カバーを介して、壁掛け用部材２が筐体の背面壁側に装着されることになり、摘みねじ４を外して接続端子カバー３を筐体１から取外さない以上、壁掛け用部材２を筐体１から取外すことができないことになり、筐体１は取付け壁側に設けた１本の取付けボルトにより確実に取付け壁側に懸架されることになる。
【００３０】
【発明の効果】
以上説明したように、本発明によれば、壁掛け用部材側の両フック片が筐体の背面壁側の両係合凹部に係合することによって、壁掛け用部材を筐体に堅固に装着することができるので、壁掛け用部材側に取付け壁面側に突設した取付けボルトを引っ掛けるためのだるま型壁掛け孔を形成するぐらいで筐体に装着することができ、従来のような複数本のねじによる装着に比して、部品点数の減少と共に取付け作業性を向上させている。
【図面の簡単な説明】
【図１】本発明における実施の形態を採用した電子機器を収容する筐体の分解斜視図である。
【図２】同じく組立てた状態について、筐体の裏面壁側を斜め上面側から描画した斜視図である。
【図３】同じく裏面壁側を接続端子カバーを設置した斜め側面側から描画した斜視図である。
【図４】筐体背面壁に添設した壁掛け用部材と接続端子カバーの掛合関係を拡大して描画した部分斜視図で、（ａ）が壁掛け用部材の筐体への装着準備段階、(ｂ)が同じく装着後の状態をそれぞれ示している。
【図５】従来における電子機器を収容する筐体の分解斜視図である。
【図６】同じく、組立てた状態を裏面壁側を斜め一側面側から描画した斜視図である。
【図７】同じく、他側面側を描画した部分的斜視図である。
【符号の説明】
１    筐体
１ａ    背面壁
１ｂ    側面壁部
１ｃ    接続端子設置部
１ｄ    下面壁
１ｅ    一方側壁部
１ｇ    掛合挿入孔
２    壁掛け用部材
２ａ    基部
２ｂ，２ｃ  取付けフランジ部
３    接続端子カバー
３ａ    切欠き部
３ｂ    引っ掛け片
４    摘みねじ
５ａ    一方のフック片
５ｂ    他方のフック片
６ａ    一方の係合凹部
６ｂ    他方の係合凹部
７    掛合片
８    掛合孔
９    タップ部
１１    ビス孔
１３    壁掛け孔
【図１】
2004214223.tif 000003
【図２】
2004214223.tif 000004
【図３】
2004214223.tif 000005
【図４】
2004214223.tif 000006
【図５】
2004214223.tif 000007
【図６】
2004214223.tif 000008
【図７】
2004214223.tif 000009